【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
複数の動翼が取り付けられた回転軸と、
前記回転軸を囲むケーシングであって、前記回転軸と前記ケーシングとの間に作動流体の流路を形成するケーシングと、
前記ケーシングを囲むように前記回転軸の周方向に延在する環形状の壁部であって、前記流路と連通する環形状の抽気室を形成する壁部と、
前記壁部の外周面に連なる複数のポート部であって、それぞれ前記抽気室と連通する出口流路を形成する複数のポート部と、
前記複数のポート部にそれぞれ連なる複数の抽気管と
を備え、
前記回転軸と直交する断面でみて、前記ポート部の内面と前記壁部の内面とが交わる２つのコーナ領域のうち、前記抽気室における前記作動流体の回転方向にて後方側に位置するコーナ領域にて、前記ポート部の内面と前記壁部の内面とがなす角度をθ１としたとき、
前記角度θ１は２２５°以下であり、
前記回転軸と直交する断面でみて、前記ポート部の内面と前記壁部の内面とが交わる２つのコーナ領域のうち、前記抽気室における前記作動流体の回転方向にて前方側に位置するコーナ領域にて、前記ポート部の内面と前記壁部の内面とがなす角度をθ２としたとき、
前記角度θ２は３１５°以上であり、
前記回転軸と直交する断面でみた前記ポート部の内径をｄとし、且つ、前記抽気室の外径をＤとしたとき、
前記角度θ１は、次式：
２７０°−ｓｉｎ−１（（１―ｄ／Ｄ）＾０．５）・１８０°／π≦θ１
で示される関係を満たし、
前記角度θ２は、次式：
θ２≦２７０°＋ｓｉｎ−１（（１―ｄ／Ｄ）＾０．５）・１８０°／π
で示される関係を満たしている
ことを特徴とする多段軸流圧縮機。
【請求項２】
前記複数の抽気管のうち少なくとも１つの抽気管は少なくとも１つの湾曲部を有し、
前記回転軸と直交する断面でみた前記ポート部の内径をｄとし、
前記少なくとも１つの湾曲部の曲率半径をＲとしたとき、
前記ポート部の内径ｄに対する前記湾曲部の曲率半径Ｒの比Ｒ／ｄは、次式：
２≦Ｒ／ｄ
で示される関係を満たしている
ことを特徴とする請求項１に記載の多段軸流圧縮機。
【請求項３】
複数の動翼が取り付けられた回転軸と、
前記回転軸を囲むケーシングであって、前記回転軸と前記ケーシングとの間に作動流体の流路を形成するケーシングと、
前記ケーシングを囲むように前記回転軸の周方向に延在する環形状の壁部であって、前記流路と連通する環形状の抽気室を形成する壁部と、
前記壁部の外周面に連なる複数のポート部であって、それぞれ前記抽気室と連通する出口流路を形成する複数のポート部と、
前記複数のポート部にそれぞれ連なる複数の抽気管と
を備え、
前記回転軸と直交する断面でみて、前記ポート部の内面と前記壁部の内面とが交わる２つのコーナ領域のうち、前記抽気室における前記作動流体の回転方向にて後方側に位置するコーナ領域にて、前記ポート部の内面と前記壁部の内面とがなす角度をθ１としたとき、
前記角度θ１は２２５°以下であり、
前記複数の抽気管のうち少なくとも１つの抽気管は少なくとも１つの湾曲部を有し、
前記回転軸と直交する断面でみた前記ポート部の内径をｄとし、
前記少なくとも１つの湾曲部の曲率半径をＲとしたとき、
前記ポート部の内径ｄに対する前記湾曲部の曲率半径Ｒの比Ｒ／ｄは、次式：
２≦Ｒ／ｄ
で示される関係を満たしており、
前記回転軸は水平方向に延在し、
前記複数のポート部は、第１ポート部、第２ポート部、第３ポート部及び第４ポート部を含み、
前記第１ポート部、前記第２ポート部、前記第３ポート部及び前記第４ポート部は、前記回転軸の周方向にて、この順序で配列され、
前記第１ポート部及び前記第２ポート部は、前記回転軸と直交する断面でみて、前記回転軸と直交する水平方向にて前記回転軸の中心に対し第１の側に位置し、
前記第３ポート部及び前記第４ポート部は、前記回転軸と直交する断面でみて、前記回転軸と直交する水平方向にて前記回転軸の中心に対し前記第１の側とは反対の第２の側に位置し、
前記複数の抽気管は、前記第１ポート部、前記第２ポート部、前記第３ポート部及び前記第４ポート部にそれぞれ連なる第１抽気管、第２抽気管、第３抽気管及び第４抽気管を含み、
前記第１抽気管及び前記第２抽気管は、前記回転軸と直交する断面でみて、前記回転軸と直交する水平方向にて前記回転軸の中心に対し前記第２の側まで延在し、
前記少なくとも１つの湾曲部は、前記第１抽気管の一部を構成する第１湾曲部と、前記第２抽気管の一部を構成する第２湾曲部とを含み、
前記第１湾曲部及び前記第２湾曲部は、前記回転軸と直交する断面でみて、自身を流れる前記作動流体の回転方向が前記抽気室における前記作動流体の回転方向と同じ方向になるように湾曲している
ことを特徴とする多段軸流圧縮機。
【請求項４】
前記少なくとも１つの湾曲部は、前記第３抽気管の一部を構成する第３湾曲部と、前記第４抽気管の一部を構成する第４湾曲部とを含み、
前記第３湾曲部及び前記第４湾曲部は、前記回転軸と直交する断面でみて、自身を流れる前記作動流体の回転方向が前記抽気室における前記作動流体の回転方向と逆方向になるように湾曲している
ことを特徴とする請求項３に記載の多段軸流圧縮機。
【請求項５】
複数の動翼が取り付けられた回転軸と、
前記回転軸を囲むケーシングであって、前記回転軸と前記ケーシングとの間に作動流体の流路を形成するケーシングと、
前記ケーシングを囲むように前記回転軸の周方向に延在する環形状の壁部であって、前記流路と連通する環形状の抽気室を形成する壁部と、
前記壁部の外周面に連なる複数のポート部であって、それぞれ前記抽気室と連通する出口流路を形成する複数のポート部と、
前記複数のポート部にそれぞれ連なる複数の抽気管と
を備え、
前記回転軸と直交する断面でみて、前記ポート部の内面と前記壁部の内面とが交わる２つのコーナ領域のうち、前記抽気室における前記作動流体の回転方向にて後方側に位置するコーナ領域にて、前記ポート部の内面と前記壁部の内面とがなす角度をθ１としたとき、
前記角度θ１は２２５°以下であり、
前記複数の抽気管のうち少なくとも１つの抽気管は少なくとも１つの湾曲部を有し、
前記回転軸と直交する断面でみた前記ポート部の内径をｄとし、
前記少なくとも１つの湾曲部の曲率半径をＲとしたとき、
前記ポート部の内径ｄに対する前記湾曲部の曲率半径Ｒの比Ｒ／ｄは、次式：
２≦Ｒ／ｄ
で示される関係を満たしており、
前記回転軸は水平方向に延在し、
前記複数のポート部は、第１ポート部、第２ポート部、第３ポート部及び第４ポート部を含み、
前記第１ポート部、前記第２ポート部、前記第３ポート部及び前記第４ポート部は、前記回転軸の周方向にて、この順序で配列され、
前記第１ポート部及び前記第２ポート部は、前記回転軸と直交する断面でみて、前記回転軸と直交する水平方向にて前記回転軸の中心に対し第１の側に位置し、
前記第３ポート部及び前記第４ポート部は、前記回転軸と直交する断面でみて、前記回転軸と直交する水平方向にて前記回転軸の中心に対し前記第１の側とは反対の第２の側に位置し、
前記第１ポート部及び前記第３ポート部は、前記回転軸と直交する水平方向に沿って延在し、
前記第２ポート部及び前記第４ポート部は、鉛直方向に沿って延在している
ことを特徴とする多段軸流圧縮機。
【請求項６】
前記回転軸は水平方向に延在し、
前記複数のポート部は、第１ポート部、第２ポート部、第３ポート部及び第４ポート部を含み、
前記回転軸と直交する断面にて、前記壁部の外周面の頂部の周方向位置を０°としたときに、
前記壁部の外周面と前記第１ポート部の軸線との交点は３０°以上６０°以下の周方向位置にあり、
前記壁部の外周面と前記第２ポート部の軸線との交点は１２０°以上１５０°以下の周方向位置にあり、
前記壁部の外周面と前記第３ポート部の軸線との交点は２００°以上２３０°以下の周方向位置にあり、
前記壁部の外周面と前記第４ポート部の軸線との交点は２９０°以上３２０°以下の周方向位置にある
ことを特徴とする請求項２乃至５の何れか１項に記載の多段軸流圧縮機。
【請求項７】
複数の動翼が取り付けられた回転軸と、
前記回転軸を囲むケーシングであって、前記回転軸と前記ケーシングとの間に作動流体の流路を形成するケーシングと、
前記ケーシングを囲むように前記回転軸の周方向に延在する環形状の壁部であって、前記流路と連通する環形状の抽気室を形成する壁部と、
前記壁部の外周面に連なる複数のポート部であって、それぞれ前記抽気室と連通する出口流路を形成する複数のポート部と、
前記複数のポート部にそれぞれ連なる複数の抽気管と
を備え、
前記回転軸と直交する断面でみて、前記ポート部の内面と前記壁部の内面とが交わる２つのコーナ領域のうち、前記抽気室における前記作動流体の回転方向にて後方側に位置するコーナ領域にて、前記ポート部の内面と前記壁部の内面とがなす角度をθ１としたとき、
前記角度θ１は２２５°以下であり、
前記複数の抽気管のうち少なくとも１つの抽気管は少なくとも１つの湾曲部を有し、
前記回転軸と直交する断面でみた前記ポート部の内径をｄとし、
前記少なくとも１つの湾曲部の曲率半径をＲとしたとき、
前記ポート部の内径ｄに対する前記湾曲部の曲率半径Ｒの比Ｒ／ｄは、次式：
２≦Ｒ／ｄ
で示される関係を満たしており、
前記回転軸は水平方向に延在し、
前記複数のポート部は、第１ポート部、第２ポート部、第３ポート部及び第４ポート部を含み、
前記第１ポート部、前記第２ポート部、前記第３ポート部及び前記第４ポート部は、前記回転軸の周方向にて、この順序で配列され、
前記第１ポート部及び前記第２ポート部は、前記回転軸と直交する断面でみて、前記回転軸と直交する水平方向にて前記回転軸の中心に対し第１の側に位置し、
前記第３ポート部及び前記第４ポート部は、前記回転軸と直交する断面でみて、前記回転軸と直交する水平方向にて前記回転軸の中心に対し前記第１の側とは反対の第２の側に位置し、
前記複数の抽気管は、前記第１ポート部、前記第２ポート部、前記第３ポート部及び前記第４ポート部にそれぞれ連なる第１抽気管、第２抽気管、第３抽気管及び第４抽気管を含み、
前記回転軸と直交する断面を、前記回転軸の中心を原点とし、鉛直軸及び水平軸にて４つの象限に分割したときに、
前記抽気室に対し遠方に位置する前記第１抽気管、前記第２抽気管、前記第３抽気管及び前記第４抽気管の遠位端は、前記４つの象限のうち同一の象限内に位置している
ことを特徴とする多段軸流圧縮機。
【請求項８】
前記第１抽気管、前記第２抽気管、前記第３抽気管及び前記第４抽気管の遠位端は、前記回転軸と直交する水平方向にて、前記ケーシングよりも外側に位置している
ことを特徴とする請求項７に記載の多段軸流圧縮機。
【請求項９】
請求項１乃至８の何れか一項に記載の多段軸流圧縮機と、
前記多段軸流圧縮機によって圧縮された空気を利用して燃料を燃焼させ、燃焼ガスを発生可能な燃焼器と、
前記燃焼器で発生した燃焼ガスを利用して動力を出力可能なタービンと
を備えるガスタービン。
【手続補正２】
【補正対象書類名】図面
【補正対象項目名】図３
【補正方法】変更
【補正の内容】
【図３】
2017166358.tif 000001
【手続補正３】
【補正対象書類名】図面
【補正対象項目名】図５
【補正方法】変更
【補正の内容】
【図５】
2017166358.tif 000002